(57)【特許請求の範囲】
【請求項１】
被写体を撮像して画像データを得る撮像部と、
前記画像データに対応した画像を表示する表示部と、
前記表示部に表示された画像内の第１の被写体と第２の被写体とをそれぞれ指定する被写体指定部と、
前記第１の被写体と前記第２の被写体との撮影間隔とを設定する時間設定部と、
前記設定の後、前記撮像部による前記第１の被写体を主要被写体とした第１の撮像を実行し、該第１の撮像の後、前記撮影間隔を空けて、前記撮像部による前記第２の被写体を主要被写体とした第２の撮像を実行するように前記撮像部を制御する撮像制御部と、
を具備することを特徴とする撮影装置。
【請求項２】
前記第１の撮像は、前記撮像部のピント位置を前記第１の被写体に対応した第１のピント位置に合わせた撮像であり、前記第２の撮像は、前記撮像部のピント位置を前記第２の被写体に対応した第２のピント位置に合わせた撮像であることを特徴とする請求項１に記載の撮影装置。
【請求項３】
前記撮像制御部は、前記撮影間隔の間に、前記撮像部のピント位置を前記第１のピント位置から前記第２のピント位置に変更できるか否かを判定し、変更できない場合に、前記撮像部のピント位置を前記撮影間隔の間に変更可能なピント位置の中で前記第２のピント位置に最も近いピント位置に合わせて前記第２の撮像を実行するように前記撮像部を制御することを特徴とする請求項２に記載の撮影装置。
【請求項４】
前記撮像制御部は、前記撮影間隔の間に、前記撮像部のピント位置を前記第１のピント位置から前記第２のピント位置に変更できるか否かを判定し、変更できない場合に、前記撮像部のピント位置を前記第１のピント位置と前記第２のピント位置との中間のピント位置に合わせて前記第２の撮像を実行するように前記撮像部を制御することを特徴とする請求項２に記載の撮影装置。
【請求項５】
前記第１の撮像は、前記撮像部の露出を前記第１の被写体に合わせた撮像であり、前記第２の撮像は、前記撮像部の露出を前記第２の被写体に合わせた撮像であることを特徴とする請求項１乃至４の何れか１項に記載の撮影装置。
【請求項６】
撮影動作の開始を指示するための操作部をさらに具備し、
前記撮像制御部は、前記操作部が操作されたときに、前記第１の撮像を実行することを特徴とする請求項１乃至５の何れか１項に記載の撮影装置。
【請求項７】
前記第１の被写体の動きを検出する被写体検出部をさらに具備し、
前記撮像制御部は、前記第１の被写体の動きが検出されたときに、前記第１の撮像を実行することを特徴とする請求項１乃至５の何れか１項に記載の撮影装置。
【請求項８】
前記撮像制御部は、被写体指定部によって指定された位置に前記第１の被写体及び前記第２の被写体が存在している場合に、前記第１の撮像を実行することを特徴とする請求項１乃至７の何れか１項に記載の撮影装置。
【請求項９】
前記撮像制御部は、前記第１の撮像と前記第２の撮像との間に前記撮像部を連続動作させて動画像データを得ることを特徴とする請求項７又は８に記載の撮影装置。
【請求項１０】
前記撮像制御部は、前記第１の撮像と前記第２の撮像との間、前記撮像部のピント位置を時間的に変化させることを特徴とする請求項９に記載の撮影装置。
【請求項１１】
前記第１の撮像の結果として得られた第１の画像データから前記第１の被写体の画像データを切り出すとともに、前記第２の撮像の結果として得られた第２の画像データから前記第２の被写体の画像データを切り出す切出部と、
前記切り出された前記第１の被写体の画像データに対応した画像と前記第２の被写体の画像データに対応した画像とを並べて前記表示部に表示させる表示制御部と、
をさらに具備することを特徴とする請求項１乃至１０の何れか１項に記載の撮影装置。
【請求項１２】
被写体を撮像して画像データを得る撮像部と、
前記画像データに対応した画像を表示する表示部と、
前記表示部に表示された画像内の第１の被写体と第２の被写体とをそれぞれ指定する被写体指定部と、
前記第２の被写体の動きを検出する被写体検出部と、
前記指定の後、前記撮像部を連続動作させて前記第１の被写体を含む動画像データを得るとともに、前記第２の被写体の動きが検出されたときに、前記撮像部による前記第２の被写体を主要被写体とした撮像を実行する撮像制御部と、
前記動画像データの中から、前記第１の被写体を主要被写体とした画像データを選択する選択部と、
を具備することを特徴とする撮影装置。
【発明の詳細な説明】
【技術分野】
【０００１】
本発明は、撮影画面内の複数の異なる位置に存在する被写体を撮影する撮影装置に関する。
【背景技術】
【０００２】
従来、撮影画面内の複数の被写体を撮影する技術として、例えば特許文献１において提案されている技術がある。特許文献１においては、予め撮影対象の顔の画像とその顔の撮影順とを登録しておく。そして、特許文献１は、撮影時において、登録された撮影順に従って撮影画面内の顔の画像を認識し、認識した顔に対するフォーカスの調整と撮影とを実行するようにしている。
【先行技術文献】
【特許文献】
【０００３】
【特許文献１】特開２０１０−８５５３０号公報
【発明の概要】
【発明が解決しようとする課題】
【０００４】
ここで、動きを伴う複数の被写体を撮影する場合、それぞれの被写体に対して最適な撮影タイミングが存在すると考えられる。特許文献１は、複数の被写体のそれぞれをどのような撮影タイミングで撮影するかについては特に言及がされていない。
【０００５】
本発明は、前記の事情に鑑みてなされたもので、撮影画面内の複数の被写体を所定の撮影順で且つ最適な撮影タイミングで撮影することが可能な撮影装置を提供することを目的とする。
【課題を解決するための手段】
【０００６】
前記の目的を達成するために、本発明の第１の態様の撮影装置は、被写体を撮像して画像データを得る撮像部と、前記画像データに対応した画像を表示する表示部と、前記表示部に表示された画像内の第１の被写体と第２の被写体とをそれぞれ指定する被写体指定部と、前記第１の被写体と前記第２の被写体との撮影間隔とを設定する時間設定部と、前記設定の後、前記撮像部による前記第１の被写体を主要被写体とした第１の撮像を実行し、該第１の撮像の後、前記撮影間隔を空けて、前記撮像部による前記第２の被写体を主要被写体とした第２の撮像を実行するように前記撮像部を制御する撮像制御部と、を具備することを特徴とする。
【０００７】
また、前記の目的を達成するために、本発明の第２の態様の撮影装置は、被写体を撮像して画像データを得る撮像部と、前記画像データに対応した画像を表示する表示部と、前記表示部に表示された画像内の第１の被写体と第２の被写体とをそれぞれ指定する被写体指定部と、前記第２の被写体の動きを検出する被写体検出部と、前記指定の後、前記撮像部を連続動作させて前記第１の被写体を含む動画像データを得るとともに、前記第２の被写体の動きが検出されたときに、前記撮像部による前記第２の被写体を主要被写体とした撮像を実行する撮像制御部と、前記動画像データの中から、前記第１の被写体を主要被写体とした画像データを選択する選択部とを具備することを特徴とする。
【発明の効果】
【０００８】
本発明によれば、撮影画面内の複数の被写体を所定の撮影順で且つ最適な撮影タイミングで撮影することが可能な撮影装置を提供することができる。
【図面の簡単な説明】
【０００９】
【図１】本発明の各実施形態に係る撮影装置の構成を示す図である。
【図２】本発明の第１の実施形態に係る撮影装置の動作を示すフローチャートである。
【図３】図２の動作に従って表示部に表示させる表示画面の遷移を示す第１の図である。
【図４】図２の動作に従って表示部に表示させる表示画面の遷移を示す第２の図である。
【図５】本発明の第１の実施形態の変形例に係る撮影装置の動作を示すフローチャートである。
【図６】本発明の第２の実施形態に係る撮影装置の動作を示すフローチャートである。
【発明を実施するための形態】
【００１０】
以下、図面を参照して本発明の実施形態を説明する。  
［第１の実施形態］
図１は、本発明の各実施形態に係る撮影装置の構成を示す図である。図１は、本発明の各実施形態に係る撮影装置をレンズ交換式のデジタルカメラに適用した場合の構成例である。したがって、撮影装置１は、交換レンズ１００と、本体２００と、を有している。撮影装置１は、レンズ交換式でなくとも良い。
【００１１】
交換レンズ１００は、撮影レンズ１０２と、レンズ駆動部１０４と、レンズ位置検出部１０６と、絞り１０８と、絞り駆動部１１０と、レンズ情報記憶部１１２と、レンズ制御部１１４と、通信部１１６と、を有している。
【００１２】
撮影レンズ１０２は、フォーカスレンズ１０２ａ及びズームレンズ１０２ｂ等の複数のレンズを有するレンズ群である。この撮影レンズ１０２は、図示しない被写体からの光を、本体２００に設けられた撮像素子に結像させる。フォーカスレンズ１０２ａは、撮影レンズ１０２のピント調節のためのレンズであり、ズームレンズ１０２ｂは、撮影レンズ１０２の画角調節のためのレンズである。
【００１３】
レンズ駆動部１０４は、レンズ制御部１１４による制御に従って撮影レンズ１０２のフォーカスレンズ１０２ａやズームレンズ１０２ｂを駆動する。このレンズ駆動部１０４は、撮影レンズ１０２に含まれるそれぞれのレンズを駆動するためのモータと、これらのモータを駆動する駆動回路と、を有している。レンズ位置検出部１０６は、フォーカスレンズ１０２ａ及びズームレンズ１０２ｂの駆動位置を検出する。レンズ位置検出部１０６は、例えばエンコーダにより構成されている。
【００１４】
絞り１０８は、開閉自在に構成されており、撮影レンズ１０２を介して撮像素子に結像される光の量を調節する。絞り１０８の開口量によって、撮像素子に結像される被写体の像のボケ具合も調節される。
【００１５】
絞り駆動部１１０は、レンズ制御部１１４による制御に従って絞り１０８を駆動する。この絞り駆動部１１０は、絞りを駆動するためのモータと、その駆動回路と、を有している。
【００１６】
レンズ情報記憶部１１２は、撮影レンズ１０２の焦点距離、Ｆナンバー、収差情報といった撮影レンズ１０２のレンズ情報を記憶している。ここで、本実施形態におけるレンズ情報記憶部１１２は、ＡＦ速度情報もレンズ情報として記憶している。ＡＦ速度情報は、単位時間当たりに駆動可能な最大のフォーカスレンズ１０２ａの駆動量を示す情報であり、レンズ駆動部１０４の特性等の要因によって決定される。
【００１７】
レンズ制御部１１４は、通信部１１６を介して本体２００の制御部２１６と通信自在に接続されている。レンズ制御部１１４は、制御部２１６の制御に従って、レンズ駆動部１０４及び絞り駆動部１１０を制御する。また、レンズ制御部１１４は、ＡＦ動作の時等において、レンズ位置検出部１０６で検出されたフォーカスレンズ１０２ａの位置やレンズ情報記憶部１１２に記憶されているレンズ情報を、通信部１１６を介して本体２００に送信することも行う。
【００１８】
通信部１１６は、レンズ制御部１１４と制御部２１６との通信のための交換レンズ１００側のインターフェイスである。
【００１９】
また、本体２００は、撮像部２０２と、被写体検出部２０４と、画像処理部２０６と、表示部２０８と、記録部２１０と、操作部２１２と、タッチ操作部２１４と、制御部２１６と、通信部２１８と、を有している。
【００２０】
撮像部２０２は、撮像素子、Ａ／Ｄ変換回路等を有している。撮像素子は、画素としての光電変換素子が２次元状に配置された受光面を有して構成されている。それぞれの画素は、撮影レンズ１０２を介して結像された被写体の像を電気信号（画像信号）に変換する。撮像素子の撮像動作は、撮像制御部としての機能を有する制御部２１６によって制御される。Ａ／Ｄ変換回路は、撮像素子で得られた画像信号を、デジタル信号としての画像データに変換する。
【００２１】
被写体検出部２０４は、画像データから被写体を検出する。例えば、被写体検出部２０４は、タッチ操作部２１４を介して選択された表示画面中の位置に対応した被写体を画像データから検出する。被写体検出は、例えば輪郭を検出することにより行ったり、選択された位置の輝度や色と類似する輝度や色を有する領域を検出することにより行ったりする。これらの手法以外の各種の周知の手法を用いて被写体の検出を行って良い。また、被写体検出部２０４は、動き検出部としての機能も有している。この被写体検出部２０４は、複数のフレームに渡って検出した被写体の画像データ上での移動を検出することによって被写体の動きを検出する。
【００２２】
画像処理部２０６は、画像データに対して画像処理を施す。画像処理部２０６が施す画像処理は、ホワイトバランス補正処理及びγ補正処理等の画像データに対応した画像を表示部２０８に表示させたり記録したりするために必要な各種の処理、並びに圧縮処理、伸張処理等が含まれる。また、画像処理部２０６は、切出部を有している。切出部は、画像データ内において指定された被写体周辺領域を切り出す。
【００２３】
表示部２０８は、画像処理部２０６によって処理された画像データに基づく画像等の各種の画像を表示する。表示部２０８は、例えば液晶ディスプレイで構成されている。
【００２４】
記録部２１０は、画像処理部２０６によって圧縮処理された画像データから生成される画像ファイルが記録される。記録部２１０は、例えば本体２００に着脱自在なメモリカードで構成されている。記録部２１０を本体２００に内蔵させるようにしても良い。
【００２５】
操作部２１２は、ユーザが撮影装置１の各種の操作を行うための複数の操作部材を有して構成されている。操作部材としては、レリーズボタン、モードダイアル、電源ボタン等が含まれる。レリーズボタンは、ユーザが本体２００に対して撮影開始の指示をするための操作部材である。モードダイアルは、ユーザが本体２００に対して動作モードの設定の指示をするための操作部材である。電源ボタンは、ユーザが本体２００に対して電源のオン又はオフを指示するための操作部材である。
【００２６】
タッチ操作部２１４は、例えば表示部２０８の表示画面の上に形成されている。タッチ操作部２１４は、例えば静電容量式のタッチ操作部であり、ユーザの指等の表示部２０８の表示画面への接触があった場合に、その接触位置を検出する。このタッチ操作部２１４により、ユーザによるタッチ操作を検出する。また、タッチ操作部２１４が被写体指定部及び時間設定部の一例として機能する。
【００２７】
制御部２１６は、本体２００の各ブロックの動作を制御する。例えば、制御部２１６は、レンズ制御部１１４を制御して撮影レンズ１０２のオートフォーカス（以下、ＡＦと言う）動作を制御する。ＡＦの方式としては、周知のコントラスト方式や位相差方式等の各種の方式を用いることができる。また、制御部２１６は、撮像部２０２の撮像動作を制御する。また、制御部２１６は、表示部２０８の表示動作を制御する。また、制御部２１６は、画像データから画像ファイルを生成し、生成した画像ファイルを記録部２１０に記録することも行う。この他、制御部２１６は、タッチ操作識別部としての機能も有し、ユーザによってタッチ操作部２１４が操作された場合には、その操作の内容を識別することも行う。また、制御部２１６は、記憶部を有し、ピント情報等の各種の情報を一時的に保持する。さらに、制御部２１６は、時計部を有し、後述するピント移動時間等の各種の時間を計測する。
【００２８】
通信部２１８は、レンズ制御部１１４と制御部２１６との通信のための本体２００側のインターフェイスである。
【００２９】
次に、第１の実施形態に係る撮影装置の動作について図２〜図４を参照して説明する。図２は、第１の実施形態に係る撮影装置１の動作を示すフローチャートである。また、図３及び図４は、図２の動作に従って表示部２０８に表示させる表示画面の遷移を示す図である。ここで、図２の動作は、制御部２１６が主体となって行われる。また、後述の時間差撮影に際し、ユーザは、自身が主要被写体と考える複数の被写体が撮影画面内に収まるように撮影装置１を構えているとする。
【００３０】
例えば、本体２００の電源ボタンが押される等して図２の動作が開始される。図２において、制御部２１６は、撮影装置１の動作モードが撮影モードであるか否かを判定する（ステップＳ１０１）。本実施形態では、撮影装置１が撮影モードと再生モードとを動作モードとして少なくとも有している。撮影モードは、記録用の画像を得るためのモードである。一方、再生モードは、記録された画像を再生するためのモードである。ここで、本実施形態は、撮影モードとして少なくとも通常撮影モードと時間差撮影モードとを有している。
【００３１】
ステップＳ１０１において、撮影装置１の動作モードが撮影モードでない、即ち再生モードであると判定した場合に、制御部２１６は、再生モードの処理を行う。再生モードの処理については簡単に説明する。再生モードの処理において、制御部２１６は、記録部２１０に記録されている画像ファイルの一覧を表示部２０８に表示させる。ユーザは、一覧表示された画像ファイルの中から所望の画像ファイルを操作部２１２又はタッチ操作部２１４を操作して選択する。この選択を受け、制御部２１６は、記録部２１０から対応する画像ファイルを読み出し、この画像ファイルに記録されている圧縮済みの画像データを画像処理部２０６に入力する。画像処理部２０６は、入力された圧縮画像データを伸張する。そして、制御部２１６は、伸張された画像データを表示部２０８に入力して表示部２０８に画像を表示させる。
【００３２】
また、ステップＳ１０１において、撮影装置１の動作モードが撮影モードであると判定した場合に、制御部２１６は、撮影モードとして時間差撮影モードが選択されたか否かを判定する（ステップＳ１０２）。ステップＳ１０２の判定に際し、制御部２１６は、例えば図３（ａ）に示すような撮影モードの選択画面を表示部２０８に表示させる。この選択画面には、ユーザがタッチ操作部２１４を介して選択可能なソフトウェアボタンとしての通常撮影ボタン３０２と時間差撮影ボタン３０４とを表示させる。制御部２１６は、タッチ操作部２１４の出力から、ユーザによって通常撮影ボタン３０２が選択されたことを認識した場合に撮影モードとして通常撮影モードが選択されたと判定する。一方、制御部２１６は、タッチ操作部２１４の出力から、ユーザによって時間差撮影ボタン３０４が選択されたことを認識した場合に撮影モードとして時間差撮影モードが選択されたと判定する。ここで、撮影モードを選択するためのボタン等を操作部２１２として設けておくようにしても良い。この場合、ステップＳ１０２の判定をタッチ操作部２１４の出力からではなく、操作部２１２の出力からも判定することが可能である。
【００３３】
ステップＳ１０２において、撮影モードとして時間差撮影モードが選択されていない、即ち通常撮影モードが選択されたと判定した場合に、制御部２１６は、通常撮影待機状態となる。通常撮影待機状態において、制御部２１６は、スルー画表示動作を行った後で待機状態となる。スルー画表示動作において、制御部２１６は、撮像部２０２を予め定められたフレームレートで連続動作させ、この連続動作によって撮像部２０２から逐次得られる画像データを画像処理部２０６に入力する。そして、制御部２１６は、画像処理部２０６において表示用の画像処理がなされた画像データを表示部２０８に入力することにより、撮像部２０２を介して逐次得られる画像データに対応した画像（スルー画像）３０６を表示部２０８にリアルタイムで表示させる。このようなスルー画表示動作によって表示部２０８に表示された画像により、ユーザは、撮影構図等を確認することが可能である。
【００３４】
また、通常撮影待機状態の間にユーザによってレリーズボタンが押された場合に、制御部２１６は、通常撮影を行う。通常撮影において、制御部２１６は、撮影画面内の特定の被写体（例えば最至近の被写体、中央の被写体、顔を有する被写体）を主要被写体とするようにピント合わせ及び露出合わせを行う。即ち、主要被写体にピントが合うようにフォーカスレンズ１０２ａを駆動するとともに、主要被写体の輝度が適正となるように絞り１０８の開放量と撮像素子の露出時間を設定する。ピント合わせ及び露出合わせの後、制御部２１６は、撮影動作として、撮像部２０２を動作させ、撮像部２０２において得られた画像データを画像処理部２０６において処理する。その後、制御部２１６は、画像処理部２０６において記録用の画像処理がなされた画像データを、画像ファイルとして記録部２１０に記録する。
【００３５】
ステップＳ１０２において、時間差撮影モードが選択されていると判定した場合に、制御部２１６は、通常撮影待機状態の場合と同様のスルー画表示動作を行う（ステップＳ１０３）。
【００３６】
スルー画表示の後、制御部２１６は、図３（ｂ）に示すようなＡ点選択指示表示３０８をスルー画像３０６に重畳させる（ステップＳ１０４）。Ａ点選択指示表示３０８は、ユーザに表示画面上の第１の被写体の位置（Ａ点と言う）の設定を促すための表示である。ここで、図３（ｂ）では、Ａ点選択指示表示３０８を文字表示としている。しかしながら、Ａ点選択指示表示３０８は、必ずしも文字表示とする必要はなく、マーク等のユーザが容易に認識できる各種の表示とすることができる。また、Ａ点選択指示表示３０８を重畳させる際に、時間差撮影モードを終了させるための戻るボタン３１０を表示させるようにしても良い。詳細な説明については省略するが、制御部２１６は、図２の処理中に戻るボタン３１０が選択されたことを判定した場合、割り込み処理によって処理をステップＳ１０１に戻す。
【００３７】
Ａ点選択指示表示３０８を重畳させた後、制御部２１６は、タッチ操作部２１４の出力から、ユーザによってＡ点の選択がなされたか否かを判定する（ステップＳ１０５）。Ａ点は、第１の被写体の位置であるが、実際にはユーザが任意に選択することが可能な表示画面上の位置である。したがって、ステップＳ１０５においては、表示部２０８の表示画面上の何れかの位置にユーザの指等が接触したか否かを判定する。
【００３８】
ステップＳ１０５において、Ａ点の選択がなされていないと判定した場合に、制御部２１６は、処理をステップＳ１０１に戻す。即ち、Ａ点が選択されるまでは、Ａ点選択指示表示３０８が重畳された状態のスルー画表示が継続される。
【００３９】
また、ステップＳ１０５において、Ａ点の選択がなされたと判定した場合に、制御部２１６は、図３（ｃ）に示すようなＡ点選択表示を行う（ステップＳ１０６）。Ａ点選択表示としては、例えばＡ点を含む被写体の領域を被写体検出部２０４によって検出し、この被写体領域を囲むような枠３１２を表示させる。また、この際、Ａ点の選択が終了した旨をユーザに示すための終了表示３１４を重畳させるようにしても良い。図３（ｃ）の例では、終了表示３１４を文字表示としているが、必ずしも文字表示とする必要はない。
【００４０】
Ａ点選択表示の後、制御部２１６は、ユーザのタッチ操作部２１４の操作を受けて枠３１２の範囲を変更する（ステップＳ１０７）。ここで、枠３１２の範囲は、例えばユーザの指等が表示部２０８の表示画面から離れたことが検出された場合に確定される。また、ステップＳ１０７において、タッチ操作部２１４の操作がない場合には枠３１２の範囲を変更する必要はない。本実施形態では、時間差撮影動作の後、枠３１２内の拡大画像がレックビュー表示される。ユーザは、枠３１２の範囲を変更することで、レックビュー表示の際に確認したいＡ点の範囲を設定することが可能である。ここで、Ａ点付近の被写体の大きさに応じて、例えば被写体を囲む外接四角形の範囲となるように枠３１２の範囲を自動設定しても良い。また、枠３１２の形状は、矩形でなく、例えば円形であっても良い。
【００４１】
枠３１２の範囲を変更した後、制御部２１６は、Ａ点のピント情報を取得し、取得したＡ点のピント情報を記憶部に保持する（ステップＳ１０８）。Ａ点のピント情報は、後述の撮影時において撮影レンズ１０２のピント位置をＡ点に合わせるために用いられる情報である。例えば、ステップＳ１０８のタイミングで、制御部２１６は、ＡＦ動作を実行してＡ点にピントを合わせ、そのときのフォーカスレンズ１０２ａの位置をピント情報として記憶部に記憶させる。
【００４２】
Ａ点のピント情報を記憶部に保持した後、制御部２１６は、図３（ｄ）に示すようなＢ点選択指示表示３１６をスルー画像３０６に重畳させる（ステップＳ１０９）。Ｂ点選択指示表示３１６は、ユーザに表示画面上の第２の被写体の位置（Ｂ点と言う）の設定を促すための表示である。ここで、図３（ｄ）では、Ｂ点選択指示表示３１６を文字表示としている。Ａ点選択指示表示３０８と同様、Ｂ点選択指示表示３１６も、必ずしも文字表示とする必要はない。
【００４３】
Ｂ点選択指示表示３１６を重畳させた後、制御部２１６は、タッチ操作部２１４の出力から、ユーザによってＢ点の選択がなされたか否かを判定する（ステップＳ１１０）。Ｂ点は、第２の被写体の位置であって、表示画面上のＡ点以外の位置である。したがって、ステップＳ１１０においては、表示部２０８の表示画面上のＡ点以外の位置にユーザの指等が接触したか否かを判定する。
【００４４】
ステップＳ１１０において、Ｂ点の選択がなされていないと判定した場合に、制御部２１６は、処理をステップＳ１０１に戻す。即ち、Ｂ点が選択されるまでは、Ｂ点選択指示表示３１６が重畳された状態のスルー画表示が継続される。
【００４５】
また、ステップＳ１１０において、Ｂ点の選択がなされたと判定した場合に、制御部２１６は、図３（ｅ）に示すＢ点選択表示を行う（ステップＳ１１１）。Ｂ点選択表示もＡ点選択表示と同様、Ｂ点を含む被写体領域を囲むような枠３１８を表示させる。また、この際、Ｂ点の選択が終了した旨をユーザに示すための終了表示３２０を重畳させるようにしても良い。
【００４６】
Ｂ点選択表示の後、制御部２１６は、ユーザのタッチ操作部２１４の操作を受けて枠３１８の範囲を変更する（ステップＳ１１２）。ユーザは、枠３１８の範囲を変更することで、レックビュー表示の際に確認したいＢ点の範囲を設定することが可能である。ここで、Ｂ点付近の被写体の大きさに応じて、例えば被写体を囲む外接四角形の範囲となるように枠３１８の範囲を自動設定しても良い。
【００４７】
枠３１８の範囲を変更した後、制御部２１６は、Ｂ点のピント情報を取得し、取得したＢ点のピント情報を記憶部に保持する（ステップＳ１１３）。Ｂ点のピント情報は、後述の撮影時において撮影レンズ１０２のピント位置をＢ点に合わせるために用いられる情報である。例えば、ステップＳ１１２のタイミングで、制御部２１６は、ＡＦ動作を実行してＢ点にピントを合わせ、そのときのフォーカスレンズ１０２ａの位置をピント情報として記憶部に記憶させる。
【００４８】
Ｂ点のピント情報を記憶部に保持した後、制御部２１６は、図３（ｆ）に示すようなピント移動時間設定画面を表示部２０８に表示させる（ステップＳ１１４）。ピント移動時間は、Ａ点での撮影とＢ点での撮影との間の撮影間隔を示す時間であって、このピント移動時間の間にＡ点のピント位置からＢ点のピント位置までフォーカスレンズ１０２ａを移動させる。ここで、図３（ｆ）の例では、ピント移動時間設定画面として、ピント移動時間を選択するためのソフトウェアボタン３２２を表示させている。また、図３の例は、０.０５秒間隔でピント移動時間を選択できるようにしているが、この間隔は、必ずしも０.０５秒間隔とする必要はない。また、図３の例は、３つのソフトウェアボタンを同時に表示させているが、この数も３つに限定されるものではない。さらに、ピント移動時間を操作部２１２によって選択できるようにしても良い。
【００４９】
ピント移動時間設定画面の表示後、制御部２１６は、タッチ操作部２１４の出力から、ユーザにより、ピント移動時間の選択がなされたか否かを判定する（ステップＳ１１５）。ステップＳ１１５において、ピント移動時間の選択がなされていないと判定した場合に、制御部２１６は、処理をステップＳ１０１に戻す。即ち、ピント移動時間が選択されるまでは、ピント移動時間設定画面の表示が継続される。
【００５０】
ステップＳ１１５において、ピント移動時間の選択がなされたと判定した場合に、制御部２１６は、図３（ｇ）に示すようなピント移動時間設定終了表示３２４をスルー画像３０６に重畳させる（ステップＳ１１６）。ピント移動時間設定終了表示３２４も必ずしも文字表示とする必要はない。
【００５１】
ピント移動時間設定終了表示３２４をスルー画像３０６に重畳させた後、制御部２１６は、図３（ｈ）に示すような撮影待機画面を表示させる（ステップＳ１１７）。撮影待機画面には、Ａ点を示す枠３１２、Ｂ点を示す枠３１８、及びピント移動時間の設定結果を示す表示３２６をスルー画像３０６に重畳させる。
【００５２】
撮影待機画面を表示させた後、制御部２１６は、ユーザによって設定されたピント移動時間内でＡ点のピント位置からＢ点のピント位置までのフォーカスレンズ１０２ａの移動が可能か否かを判定する（ステップＳ１１８）。例えば、ＡＦ速度にピント移動時間を乗じた値が、Ａ点のピント位置とＢ点のピント位置との距離以上であるか否かを判定する。
【００５３】
ステップＳ１１８において、ピント移動時間内でのフォーカスレンズ１０２ａの移動が不能である、即ちＡＦ速度にピント移動時間を乗じた値が、Ａ点のピント位置とＢ点のピント位置との距離未満である場合、制御部２１６は、ピント移動時間内で移動可能な最大の位置（Ｂ点のピント位置に最も近いレンズ位置）を、新たなＢ点のピント位置とする。そして、制御部２１６は、この新たなＢ点のピント位置をＢ点のピント情報とするように記憶部の内容を更新する（ステップＳ１１９）。このようにしてＢ点のピント位置を更新することにより、Ｂ点のピント状態が多少劣化するものの、ピント移動時間内にＢ点に対するピント合わせを終了させることが可能である。
【００５４】
また、ステップＳ１１８において、ピント移動時間内でのフォーカスレンズ１０２ａの移動が可能である、即ちＡＦ速度にピント移動時間を乗じた結果が、Ａ点のピント位置とＢ点のピント位置との距離以上である場合、制御部２１６は、ステップＳ１１９の処理をスキップする。この場合には、ピント移動時間の経過後のフォーカスレンズ１０２ａのレンズ位置をＢ点のピント位置とすることが可能である。
【００５５】
続いて、制御部２１６は、自動で時間差撮影を実行するか否かを判定する（ステップＳ１２０）。時間差撮影を自動で実行するか否かは、例えばユーザが選択できるものとする。ステップＳ１２０のタイミングで時間差撮影を自動で行うか否かをユーザに選択させる選択画面を表示させるようにしても良いし、撮影装置１のメニュー画面内でこのような選択を行えるようにしても良い。
【００５６】
ステップＳ１２０において、自動で時間差撮影を実行しない、即ち手動で時間差撮影を実行すると判定した場合に、制御部２１６は、ユーザにより撮影開始が指示されたか否かを判定する（ステップＳ１２１）。ステップＳ１２１においては、例えば図３（ｉ）に示すようにしてユーザにより操作部２１２のレリーズボタン２１２ａが押された場合に撮影開始が指示されたと判定することとする。ステップＳ１２１において、撮影開始が指示されていないと判定した場合に、制御部２１６は、処理をステップＳ１０１に戻す。即ち、ユーザによって撮影開始が指示されるまでは、制御部２１６は、Ａ点及びＢ点の選択を維持した状態で待機する。
【００５７】
ステップＳ１２１において、撮影開始が指示されたと判定した場合に、制御部２１６は、レンズ制御部１１４を制御してフォーカスレンズ１０２ａのレンズ位置をステップＳ１０８で保持したＡ点のピント位置に合わせるとともに、Ａ点を含む枠３１２内の被写体に対して露出を合わせる（ステップＳ１２２）。露出合わせの例として、制御部２１６は、枠３１２内の画像データから生成される輝度から、枠３１２内の露出を適正とするために必要な露出量を演算し、この演算した露出量が得られるように絞り１０８の開口量と撮像素子の露出時間とを決定する。
【００５８】
Ａ点に対するピント合わせと露出合わせの後、制御部２１６は、図３（ｊ）に示すようにして、１枚目の撮影を行う（ステップＳ１２３）。１枚目の撮影とは、Ａ点の被写体を主要被写体とした撮影であって、Ａ点の被写体に対してピントと露出を合わせた状態で撮像部２０２を動作（第１の撮像動作）させて得られた画像データを記録する動作である。１枚目の撮影により得られた画像データは、通常撮影時と同様にして画像ファイルとして記録部２１０に記録する。ここで、１枚目の撮影時において、図３（ｊ）に示すような撮影対象の被写体がＡ点の被写体であることを示す枠３１２ａを表示させておくようにしても良い。
【００５９】
１枚目の撮影の後、制御部２１６は、レンズ制御部１１４を制御してフォーカスレンズ１０２ａのレンズ位置をステップＳ１１３で保持した又はステップＳ１１９で更新したＢ点のピント位置に合わせるとともに、Ｂ点を含む枠３１２内の被写体に対して露出を合わせる（ステップＳ１２４）。
【００６０】
Ｂ点に対するピント合わせと露出合わせの後、制御部２１６は、図３（ｋ）に示すように、ピント移動時間が経過するまで待機する（ステップＳ１２５）。ここで、待機時において、図３（ｋ）に示すような撮影待機中であることをユーザに示すためのマーク３２８を表示させておくようにしても良い。また、２枚目の撮影対象の被写体がＢ点の被写体であることを示す枠３１８ａを表示させておくようにしても良い。
【００６１】
ピント移動時間の経過後、制御部２１６は、２枚目の撮影を行う（ステップＳ１２６）。２枚目の撮影とは、Ｂ点の被写体を主要被写体とした撮影であって、Ｂ点の被写体に対してピントと露出を合わせた状態で撮像部２０２を動作（第２の撮像動作）させて得られた画像データを記録する動作である。２枚目の撮影により得られた画像データも、１枚目の撮影により得られた画像データと同様にして画像ファイルとして記録部２１０に記録する。
【００６２】
２枚目の撮影の実行後、制御部２１６は、分割レックビューを表示部２０８に表示させる（ステップＳ１２７）。このために、制御部２１６は、１枚目の撮影で得られた画像データを画像処理部２０６に入力し、Ａ点周辺の画像データの切り出しを指示する。これを受けて、画像処理部２０６は、枠３１２内の画像データを切り出す。さらに、制御部２１６は、２枚目の撮影で得られた画像データを画像処理部２０６に入力し、Ｂ点周辺の画像データの切り出しを指示する。これを受けて、画像処理部２０６は、枠３１８内の画像データを切り出す。Ａ点周辺及びＢ点周辺の画像データの切り出し後、画像処理部２０６は、切り出しにより得られた２枚の画像データを並べて配置するように合成することによって分割レックビュー用画像データを生成する。そして、制御部２１６は、分割レックビュー用画像データを表示部２０８に入力して図３（ｌ）に示すような分割レックビュー表示を行う。図３（ｌ）に示すように、分割レックビュー表示では、Ａ点周辺の画像とＢ点周辺の画像とが並列表示される。このような分割レックビュー表示により、ユーザは、ピント移動時間の間隔を空けて撮影されたＡ点周辺の画像とＢ点周辺の画像とを同時に且つ拡大して確認することが可能であり、これによって、Ａ点周辺のピント状態及び露出状態とＢ点周辺のピント状態及び露出状態とを同時に且つ容易に確認することが可能である。
【００６３】
分割レックビュー表示の後、制御部２１６は、レックビューを表示部２０８に表示させる（ステップＳ１２８）。その後、制御部２１６は、図２に示す処理を終了させる。レックビュー表示の際、制御部２１６は、記録部２１０に記録された１枚目の撮影における画像ファイルと２枚目の撮影における画像ファイルの何れか（例えば１枚目の撮影における画像ファイル）を、表示部２０８に再生する。レックビュー表示中には、再生する画像ファイルを１枚目の画像ファイルと２枚目の画像ファイルとの間で切り替え可能である。
【００６４】
また、ステップＳ１２０において、自動で時間差撮影を実行すると判定した場合に、制御部２１６は、被写体検出部２０４によるＡ点の動きの検出を開始させる。また、制御部２１６は、図４（ａ）に示すような動きレベル設定画面を表示部２０８に表示させる（ステップＳ１２９）。動きレベルは、Ａ点の被写体に動きがあったか否かを判定するための閾値であり、被写体の動きの速さに応じてユーザが適宜設定する。動きレベル設定画面には、例えば、ユーザが動きレベルを選択するためのソフトウェアボタン４０２を表示させる。ここで、図４（ａ）の例では、動きレベルを、大、中、小の３段階の間で選択できるようにしているが、必ずしも３段階とする必要はない。また、動きレベル設定画面上に、ユーザに動きレベルの設定を促すための表示４０４を表示させるようにしても良い。
【００６５】
動きレベル設定画面の表示後、制御部２１６は、タッチ操作部２１４の出力から、ユーザにより、動きレベルの選択がなされたか否かを判定する（ステップＳ１３０）。ステップＳ１３０において、動きレベルの選択がなされていないと判定した場合に、制御部２１６は、処理をステップＳ１２０に戻す。即ち、動きレベルが選択されるまでは、動きレベル表示が継続される。
【００６６】
ステップＳ１３０において、動きレベルの設定がなされたと判定した場合に、制御部２１６は、図４（ｂ）に示すような撮影待機画面を表示部２０８に表示させる（ステップＳ１３１）。ステップＳ１３１の撮影待機画面は、ステップＳ１１７における撮影待機画面と同様、Ａ点を示す枠３１２、Ｂ点を示す枠３１８をスルー画像３０６に重畳させる。図４（ｂ）には示していないが、ピント移動時間の設定結果を示す表示３２６もスルー画像３０６に重畳させるようにしても良い。
【００６７】
撮影待機画面を表示させた後、制御部２１６は、被写体検出部２０４により、Ａ点における被写体の動きを検出するまで待機する（ステップＳ１３２）。Ａ点における被写体の動きは、Ａ点における被写体の動き量がステップＳ１３０において選択された動きレベルに応じた閾値を超えたか否かを判定し、閾値を超えた場合に検出できたとする。
【００６８】
ステップＳ１３２において、Ａ点における被写体の動きを検出した後、制御部２１６は、処理をステップＳ１２２に移行させ、フォーカスレンズ１０２ａのレンズ位置をステップＳ１０８で保持したＡ点のピント位置に合わせるとともに、Ａ点を含む枠３１２内の被写体に対して露出を合わせる。その後、制御部２１６は、手動による時間差撮影と同様にして、図４（ｃ）に示す１枚目の撮影、図４（ｄ）に示す２枚目の撮影、図４（ｅ）に示す分割レックビュー表示、及びレックビュー表示を順次行う。その後、制御部２１６は、図２に示す処理を終了させる。
【００６９】
以上説明したように、本実施形態によれば、撮影画面内の複数の被写体のそれぞれを主要被写体とした複数回の撮影を、ユーザが設定したピント移動時間の間隔を空けて行うことが可能である。これにより、複数の動きのある被写体を、それぞれ、最適なピント状態及び露出状態で且つ最適なタイミングで撮影することが可能である。また、本実施形態では、ピント移動時間の間にＡ点のピント位置からＢ点のピント位置までフォーカスレンズ１０２ａが駆動可能か否かを判定し、必要に応じてＢ点のピント位置を更新することにより、ピント移動時間内でＢ点に対するピント合わせを終了させてピント移動時間の経過後に直ちに２枚目の撮影を行うことが可能である。
【００７０】
例えば、図３に示すような野球シーンの撮影において、投手と打者の両方を画角内に収めて撮影を行うことが想定される。このとき、投手がボールを投げてから打者がボールを打つまでの時間間隔は、およそ０.２〜０.５秒程度であることが知られている。したがって、Ａ点を投手とし、Ｂ点を打者とし、ピント移動時間を０.２〜０.５秒程度に設定して本実施形態で説明した時間差撮影を実行することにより、投手がボールを投げた瞬間と打者がボールを打った瞬間をそれぞれ最適なピント状態及び露出状態で撮影することが可能である。
【００７１】
なお、図３は、野球シーンの撮影の例であるが、例えばサッカーのペナルティキックの撮影等に本実施形態の技術を応用しても良い。
【００７２】
また、本実施形態における自動の時間差撮影では、Ａ点の被写体が動き出すのに応じて２枚の撮影を実行している。このようにすることで、撮影タイミングとして好適であると考えられる被写体の動き出しのタイミングを捉えることが可能である。
【００７３】
ここで、図２の例では、ピント移動時間をユーザが設定できるようにしているが、例えば、野球撮影の場合に、ピント移動時間を０.２秒程度とする等、撮影する被写体の特徴に応じてピント移動時間を自動的に設定するようにしても良い。同様に、撮影前の被写体の動き量に応じて動きレベルを自動的に設定するようにしても良い。
【００７４】
また、図２の例では、ピント移動時間の間にＡ点のピント位置からＢ点のピント位置までフォーカスレンズ１０２ａが駆動不能である場合に、ピント移動時間内で移動可能であって、Ｂ点のピント位置に最も近いレンズ位置を、新たなＢ点のピント位置とするようにＢ点のピント位置を更新している。これに対し、ピント移動時間内で移動可能なようにＡ点のピント位置をＢ点のピント位置に近づけるようにしても良い。また、Ａ点のピント位置とＢ点のピント位置との中間の位置を新たなＢ点（Ａ点）のピント位置とするようにしても良い。
【００７５】
また、１枚目の撮影を行うのに先立ってＡ点の被写体がズーム（拡大）されるようにズームレンズを駆動させるようにしても良い。同様に、２枚目の撮影を行うのに先立ってＢ点の被写体がズーム（拡大）されるようにズームレンズを駆動させるようにしても良い。この場合のズームの倍率は、固定値としても良いし、ユーザが設定できるようにしても良い。また、ズーミングは、光学ズームに限るものではない。ズーミングを電子ズームによって行うようにしても良い。
【００７６】
また、図２の例では、Ａ点の被写体の動きを基準にして自動撮影を行うようにしている。これに対し、Ｂ点の被写体の動きを基準にして自動撮影を行うようにしても良い。図５は、Ｂ点の被写体の動きを基準にして自動撮影を行う場合の動作を示すフローチャートである。ここで、図５のフローチャートの動作は、図２のステップＳ１２０において、自動撮影を行うと判定された場合に、図２のステップＳ１２９〜Ｓ１３２及びＳ１２２〜Ｓ１２８の処理に代えて実行される。
【００７７】
ステップＳ１２０において、自動で時間差撮影を実行すると判定した場合に、制御部２１６は、被写体検出部２０４によるＢ点の動きの検出を開始させる。また、制御部２１６は、動きレベル設定画面を表示部２０８に表示させる（ステップＳ２０１）。ステップＳ２０１における動きレベルは、Ｂ点の被写体に動きがあったか否かを判定するための閾値である。
【００７８】
動きレベル設定画面の表示後、制御部２１６は、タッチ操作部２１４の出力から、ユーザにより、動きレベルの選択がなされたか否かを判定する（ステップＳ２０２）。ステップＳ２０２において、動きレベルの選択がなされていないと判定した場合に、制御部２１６は、処理をステップＳ１２０に戻す。即ち、動きレベルが選択されるまでは、動きレベル表示が継続される。
【００７９】
ステップＳ２０２において、動きレベルの設定がなされたと判定した場合に、制御部２１６は、撮影待機画面を表示部２０８に表示させる（ステップＳ２０３）。また、制御部２１６は、プリキャプチャ動作を行う（ステップＳ２０４）。プリキャプチャ動作は、撮影待機画面表示中のスルー画用の撮像に伴って撮像部２０２を介して得られる画像データを記憶部に逐次保持する動作である。ここで、プリキャプチャ動作中には、プリキャプチャ動作が行われていることを示すマーク等を、撮影待機画面に重畳させるようにしても良い。
【００８０】
プリキャプチャ動作の開始後、制御部２１６は、被写体検出部２０４により、Ｂ点における被写体の動きを検出するまで待機する（ステップＳ２０５）。Ｂ点における被写体の動きは、Ｂ点における被写体の動き量がステップＳ２０２において選択された動きレベルに応じた閾値を超えたか否かを判定し、閾値を超えた場合に検出されたとする。
【００８１】
ステップＳ２０５において、Ｂ点における被写体の動きを検出した後、制御部２１６は、レンズ制御部１１４を制御してフォーカスレンズ１０２ａのレンズ位置をステップＳ１１３で保持した又はステップＳ１１９で更新したＢ点のピント位置に合わせる（ステップＳ２０６）。勿論、ステップＳ２０６の際にＢ点の被写体に露出を合わせるようにしても良いし、Ｂ点の被写体をズームするようにしても良い。
【００８２】
Ｂ点に対するピント合わせの後、制御部２１６は、２枚目の撮影を行う（ステップＳ２０７）。２枚目の撮影により得られた画像データは、画像ファイルとして記録部２１０に記録する。
【００８３】
２枚目の撮影の実行後、制御部２１６は、ステップＳ２０４からのプリキャプチャ動作によって取得された画像データを記憶部から読み出す（ステップＳ２０８）。そして、制御部２１６は、読み出した画像データの中から、Ａ点の被写体の画像データを選択する（ステップＳ２０９）。例えば、制御部２１６は、Ａ点に対して最もピントが合っている画像データ又は最も露出が合っている画像データを選択する。勿論、ユーザが選択するようにしても良い。このように、本変形例において、制御部２１６は、選択部としても機能する。
【００８４】
Ａ点の被写体の画像データを選択した後、制御部２１６は、分割レックビューを表示部２０８に表示させる（ステップＳ２１０）。分割レックビュー表示の後、制御部２１６は、レックビューを表示部２０８に表示させる（ステップＳ２１１）。その後、制御部２１６は、図５に示す処理を終了させる。
【００８５】
以上説明した図５の処理によれば、Ｂ点の被写体の撮影タイミングをＡ点の被写体の撮影タイミングよりも重視した時間差撮影を行うことが可能である。
【００８６】
［第２の実施形態］
次に、本発明の第２の実施形態について説明する。第２の実施形態は、静止画撮影と動画撮影とを組み合わせることにより、よりＡ点及びＢ点の被写体に対して最適な撮影タイミングの画像が得られるようにしたものである。
【００８７】
図６は、第２の実施形態における時間差撮影動作について示すフローチャートである。ここで、図６のフローチャートの動作は、図２のステップＳ１２０以後の処理に代えて実行される。図６において、制御部２１６は、自動で時間差撮影を実行するか否かを判定する（ステップＳ３０１）。時間差撮影を自動で実行するか否かの判定は、ステップＳ１２０と同様にして行うことができる。
【００８８】
ステップＳ３０１において、自動で時間差撮影を実行しない、即ち手動で時間差撮影を実行すると判定した場合に、制御部２１６は、ユーザにより撮影開始が指示されたか否かを判定する（ステップＳ３０２）。ステップＳ３０２において、撮影開始が指示されていないと判定した場合に、制御部２１６は、処理をステップＳ１０１に戻す。即ち、ユーザによって撮影開始が指示されるまでは、制御部２１６は、Ａ点及びＢ点の選択を維持した状態で待機する。
【００８９】
ステップＳ３０２において、撮影開始が指示されたと判定した場合に、制御部２１６は、レンズ制御部１１４を制御してフォーカスレンズ１０２ａのレンズ位置をステップＳ１０８で保持したＡ点のピント位置に合わせるとともに、Ａ点を含む枠３１２内の被写体に対して露出を合わせる（ステップＳ３０３）。
【００９０】
Ａ点に対するピント合わせと露出合わせの後、制御部２１６は、１枚目の撮影を行う（ステップＳ３０４）。１枚目の撮影も図２のステップＳ１２３と同様に行われる。
【００９１】
１枚目の撮影の後、制御部２１６は、動画撮影を開始する（ステップＳ３０５）。即ち、制御部２１６は、撮像素子を連続動作させ、この連続動作により撮像部２０２より逐次得られる画像データを記憶部に記憶させる。この動画撮影の開始後、制御部２１６は、レンズ制御部１１４を制御してフォーカスレンズ１０２ａのレンズ位置をＢ点のピント位置方向に微少量ずつずらす（ステップＳ３０６）。そして、フォーカスレンズ１０２ａのレンズ位置がＢ点に達したときに、制御部２１６は、Ｂ点を含む枠３１８内の被写体に対して露出を合わせる（ステップＳ３０７）。ここで、Ａ点からＢ点までフォーカスレンズ１０２ａのレンズ位置を移動させる際のレンズの移動速度は、ピント移動時間に応じて決定する。即ち、ピント移動時間が経過するまでに、フォーカスレンズ１０２ａのレンズ位置がＢ点のピント位置となるように移動速度を決定する。
【００９２】
Ｂ点に対するピント合わせと露出合わせの後、制御部２１６は、まだピント移動時間が経過していなければ、ピント移動時間が経過するまで待機する（ステップＳ３０８）。ピント移動時間の経過後、制御部２１６は、２枚目の撮影を行う（ステップＳ３０９）。２枚目の撮影も図２のステップＳ１２６と同様に行われる。
【００９３】
２枚目の撮影の実行後、制御部２１６は、動画撮影を終了させる（ステップＳ３１０）。動画撮影の終了時に、制御部２１６は、記憶部に記憶された一連の画像データを画像処理部２０６において処理し、この処理した画像データを１つの動画ファイルとして記録部２１０に記録させる。
【００９４】
動画記録の終了後、制御部２１６は、分割レックビューを表示部２０８に表示させる（ステップＳ３１１）。分割レックビューの表示も図２のステップＳ１２７と同様に行われる。
【００９５】
分割レックビュー表示の後、制御部２１６は、動画レックビューを表示部２０８に表示させる（ステップＳ３１２）。その後、制御部２１６は、図６に示す処理を終了させる。動画レックビュー表示において、制御部２１６は、記録部２１０に記録された動画ファイルを、表示部２０８に再生する。なお、動画レックビュー表示中にＡ点又はＢ点に対するタッチが検出されたときに、タッチされた点に被写体を主要被写体とした静止画のレックビューを表示させるようにしても良い。
【００９６】
また、ステップＳ３０１において、自動で時間差撮影を実行すると判定した場合に、制御部２１６は、被写体検出部２０４によるＡ点の動きの検出を開始させる。また、制御部２１６は、動きレベル設定画面を表示部２０８に表示させる（ステップＳ３１３）。
【００９７】
動きレベル設定画面の表示後、制御部２１６は、タッチ操作部２１４の出力から、ユーザにより、動きレベルの選択がなされたか否かを判定する（ステップＳ３１４）。ステップＳ３１４において、動きレベルの選択がなされていないと判定した場合に、制御部２１６は、処理をステップＳ３０１に戻す。即ち、動きレベルが選択されるまでは、動きレベル表示が継続される。
【００９８】
ステップＳ３１４において、動きレベルの設定がなされたと判定した場合に、制御部２１６は、撮影待機画面を表示部２０８に表示させる（ステップ３１５）。
【００９９】
撮影待機画面を表示させた後、制御部２１６は、フレーミングのチェックをし、そのチェック結果がＯＫであるか否かを判定する（ステップＳ３１６）。フレーミングのチェックは、枠３１２及び枠３１８のそれぞれに被写体が存在しているかをチェックし、両方の枠内に被写体が存在している場合にチェック結果がＯＫであると判定する。ステップＳ３１６において、チェック結果がＯＫでないと判定した場合に、制御部２１６は、ステップＳ３１６の判定を行いつつ、待機する。即ち、チェック結果がＯＫとなるまで撮影待機画面の表示が継続される。なお、フレーミングのチェックは、図２のステップＳ１３１の後又は図５のステップＳ２０３の後においても行って良い。
【０１００】
また、ステップＳ３１６において、チェック結果がＯＫであると判定した場合に、制御部２１６は、被写体検出部２０４により、Ａ点における被写体の動きを検出するまで待機する（ステップＳ３１７）。
【０１０１】
ステップＳ３１７において、Ａ点における被写体の動きを検出した後、制御部２１６は、処理をステップＳ３０３に移行させ、フォーカスレンズ１０２ａのレンズ位置をステップＳ１０８で保持したＡ点のピント位置に合わせるとともに、Ａ点を含む枠３１２内の被写体に対して露出を合わせる。そして、制御部２１６は、手動による時間差撮影と同様の処理を実行する。その後、制御部２１６は、図６に示す処理を終了させる。
【０１０２】
以上説明したように、本実施形態によれば、撮影画面内の複数の被写体のそれぞれを主要被写体とした複数回の撮影を、ユーザが設定したピント移動時間の間隔を空けて行うことが可能である。これにより、複数の動きのある被写体を、それぞれ、最適なピント状態及び露出状態で且つ最適なタイミングで撮影することが可能である。
【０１０３】
また、本実施形態によれば、１枚目の撮影後に動画撮影を行うようにしている。このため、仮にピント移動時間の経過後に得られた２枚目の画像がユーザの望むタイミング又はユーザが望むピント状態の画像でなかったとしても、動画撮影によって得られた画像からユーザの望む画像が得られる可能性が生じる。
【０１０４】
以上実施形態に基づいて本発明を説明したが、本発明は上述した実施形態に限定されるものではなく、本発明の要旨の範囲内で種々の変形や応用が可能なことは勿論である。例えば、前述した各実施形態では、撮影画面内の２点に存在する２つの被写体を撮影する例を示しているが、本実施形態の技術は撮影画面内の３点以上の被写体を撮影する場合にも適用できる。この場合、ユーザは、撮影画面内の複数の位置を指定し、さらにそれぞれの位置の被写体の撮影後のピント移動時間をそれぞれ設定する。このような３点以上の撮影に本実施形態の技術を適用することで、例えば徒競走の撮影において、スタート、コーナ、ゴールの各シーンをそれぞれ撮影する等することが可能である。
また、前述の各動作フローチャートの説明において、便宜上「まず」、「次に」等を用いて動作を説明しているが、この順で動作を実施することが必須であることを意味するものではない。
【０１０５】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【０１０６】
１…撮影装置、１００…交換レンズ、１０２…撮影レンズ、１０２ａ…フォーカスレンズ１０２ａ、１０２ｂ…ズームレンズ、１０４…レンズ駆動部、１０６…レンズ位置検出部、１０８…絞り、１１０…絞り駆動部、１１２…レンズ情報記憶部、１１４…レンズ制御部、１１６…通信部、２００…本体、２０２…撮像部、２０４…被写体検出部、２０６…画像処理部、２０８…表示部、２１０…記録部、２１２…操作部、２１４…タッチ操作部、２１６…制御部、２１８…通信部
【図１】
0005931464.tif 000002
【図２】
0005931464.tif 000003
【図３】
0005931464.tif 000004
【図４】
0005931464.tif 000005
【図５】
0005931464.tif 000006
【図６】
0005931464.tif 000007